(57)【要約】      （修正有）【課題】サイフォン式浄水器のフィルタの利用効率を上げ、浄化効果をより高め、水の流れを安定にすると共に、中空繊維質フィルタを使用して、浄化と除菌効果をさらに高め、浄水された水の品質を高める。【解決手段】水道水を飲用に適するようにする浄水器であって、上瓶体２と下瓶体６を脱着可能に連結した浄水器本体と、その本体の内部を上下二つのスペースに仕切る仕切り部材４と、仕切り部材に取付けられた上部フィルタユニット３、第１下部フィルタユニット７、第２下部フィルタユニット８とから構成されている。上部フィルタユニットが仕切り部材の上方に設けられて上瓶体の水が下から上にフィルタ内を通過するサイフォン式フィルタで、第１下部フィルタユニットが仕切り部材の下方に設けられ、第２下部フィルタユニットが第１下部フィルタユニットに連結され、上部フィルタユニットと第１下部フィルタユニットとの頂面中心部に空気を排出する排気装置が設けられ、フィルタ中に含まれる空気を追い出すことができる浄水器。【選択図】図１
0003107287.tif 000002
【実用新案登録請求の範囲】
【請求項１】
未浄化水を貯留する上瓶体と、浄化水を貯留する下瓶体と、前記上瓶体と前記下瓶体との間に設けられた仕切り部材と、該仕切り部材の上部に取付けられ、未浄化水を下から上に通過させて浄化するサイフォン式濾過構造を備えた上部フィルタユニットと、前記仕切り部材の下部に取り付けられ、前記上部フィルタユニットで浄化された水をさらに浄化する下部フィルタユニットと、前記上部フィルタユニット、前記下部フィルタユニットに含まれている空気を排出する排気装置とを備えたことを特徴とするサイフォン式浄水器。
【請求項２】
前記仕切り部材は、中央に凹部が形成され、該凹部上面中心部に前記上部フィルタユニットを固定する上部固定円筒が設けられ、前記凹部下面に前記下部フィルタユニットを固定する下部固定円筒が設けられていることを特徴とする請求項１記載のサイフォン式浄水器。
【請求項３】
前記下部フィルタユニットは活性炭が充填された第１下部フィルタユニットと、該第１下部フィルタユニットの下部に配置され、前記第１フィルタユニットで浄化された水を浄化する、中空繊維質フィルタが設けられた第２下部フィルタユニットを備えていることを特徴とする請求項１又は２記載のサイフォン式浄水器。
【請求項４】
前記下部フィルタユニットは活性炭が充填された第１下部フィルタユニットと、該第１下部フィルタユニット内部の中央下部に配置され、前記第１フィルタユニットで浄化された水を浄化する、中空繊維質フィルタが設けられた第２下部フィルタユニットを備えていることを特徴とする請求項１又は２記載のサイフォン式浄水器。
【請求項５】
前記仕切り部材と前記上瓶体とが一体成形されていることを特徴とする請求項１乃至４のいずれか１項に記載のサイフォン式浄水器。
【請求項６】
前記上部フィルタユニットは、有頂円筒状のケーシングと、該ケーシング内上部に設けられた上部多孔板と、前記ケーシング内下部に設けられた下部多孔板と、前記ケーシングの中心部に設けられ、前記上部多孔板及び前記下部多孔板を貫通する中空シリンダと、これらによって囲まれた空間に充填されたフィルタ材と、前記ケーシングの中央上部に形成された煙突状の排気部と、該排気部の上部に設けられた可動弁と、該可動弁の動きを規制する、通気孔が形成された蓋体とを備えたことを特徴とする請求項１乃至４のいずれか１項に記載のサイフォン式浄水器。
【請求項７】
前記第1下部フィルタユニットは、前記下部固定円筒に連接された円筒状のケーシングと、該ケーシング下部に設けられた多孔板と、該多孔板上に載置された活性炭フィルタと、活性炭フィルタの上部に配置されたフィルタ押え部材と、該フィルタ押え部材の中央下部に形成された集気室と、前記多孔板、前記活性炭フィルタ、前記フィルタ押え部材、前記集気室を貫通して前記ケーシング中心部に配置された排気管と、前記集気室の上部に配置された排気ヘッドとを備え、前記排気ヘッド内部と前記排気管は連通し、また前記排気へッドと前記集気室は前記排気ヘッドに形成された通気孔を介して連通しており、前記排気ヘッドは内部に可動弁が上下に移動可能に保持され、前記可動弁は上下の移動にともなって前記排気管の開口と前記通気孔の開閉を行うことを特徴とする請求項３記載のサイフォン式浄水器。
【請求項８】
前記第1下部フィルタユニットは、前記下部固定円筒に連接された円筒状のケーシングと、該ケーシング下部に設けられた多孔板と、該多孔板上に載置された活性炭フィルタと、該活性炭フィルタの上部に配置されたフィルタ押え部材と、前記多孔板、前記活性炭フィルタ、前記フィルタ押え部材を貫通して前記ケーシング中心部に配置された排気管と、該排気管の上部に配置された排気ヘッドとを備え、前記排気ヘッド内部と前記排気管は連通し、前記排気ヘッドは内部に可動弁が上下に移動可能に保持され、前記可動弁は上下の移動にともなって前記排気管の開口の開閉を行うことを特徴とする請求項３記載のサイフォン式浄水器。
【請求項９】
前記第1下部フィルタユニットは、前記下部固定円筒に連接された円筒状のケーシングと、通水孔が形成された底部材と、前記底部材に載置され、有頂円筒状の網体とその内部に設けられた中空繊維フィルタとを有する第２下部フィルタユニットと、前記ケーシング上部に配置され、中心部に上方向に突出した排気ノズルを有する網状の蓋体と、前記ケーシング、前記第２下部フィルタユニット、前記底部材、前記蓋体とで囲まれた空間に充填された活性炭フィルタとを備えたことを特徴とする請求項４記載のサイフォン式浄水器。
【請求項１０】
前記第1下部フィルタユニットは、前記下部固定円筒に連接された円筒状のケーシングと、通水孔が形成された底部材と、該底部材に載置され、有頂円筒状の網体とその内部に設けられた中空繊維フィルタとを有する第２下部フィルタユニットと、ケーシング上部に配置され、中心部に排気ヘッドを有する網状の蓋体と、前記ケーシング、前記第２下部フィルタユニット、前記底部材、前記蓋体とで囲まれた空間に充填された活性炭フィルタとを備え、前記排気ヘッドは内部に可動弁が上下に移動可能に保持されていることを特徴とする請求項４記載のサイフォン式浄水器。
【請求項１１】
前記第1下部フィルタユニットと前記第２下部フィルタユニットとの間に繊維フィルタを設けたことを特徴とする請求項７又は８記載のサイフォン式浄水器。
【請求項１２】
前記底部材は、前記ケーシング下部に螺合して連結される有底円筒状の支持部材と、該支持部材の上面に取付けられ、前記第２下部フィルタユニットを支持する支持台座を備えていることを特徴とする請求項９記載のサイフォン式浄水器。
【考案の詳細な説明】
【技術分野】
【０００１】
本考案は、水道水を飲用に適した水に浄化するサイフォン式浄水器に関する。
【背景技術】
【０００２】
従来、未浄化水の浄化は、浄水器内部に設けられたフィルタに未浄化水を上から下に通過させて浄水していた。しかし、未浄化水をフィルタを上から下に通過させることによって、フィルタ中の空気は未浄化水の通過によって排出されずにフィルタ中に滞留して、フィルタ全体の浄化性能を有効に活用できないという問題があった。また、フィルタ中に含まれる空気は、未浄化水が通過するときの抵抗となって、スムーズに通過できないという問題があった。
【０００３】
本考案者は、未浄化水を浄水器内に設けられたフィルタの下から上に通過させる構造を採用して、未浄化水のフィルタ内の流れをスムーズにして、フィルタの利用効率を高めるサイフォン式浄水器を考案し、製品として市場にも出して高い評価を受けた。
【考案の開示】
【考案が解決しようとする課題】
【０００４】
しかし、前述のサイフォン式浄水器も、濾過精度において充分でなかった。そのため、浄水及び除菌効果をさらに高めたサイフォン式浄水器が強く求められていた。
【０００５】
本考案は、前記の要望に応えるもので、フィルタ中の空気を排出する排気装置を設け、浄化と除菌の効率を高め、高い品質の浄化水を作ることができるサイフォン式浄水器を提供することを目的する。
【課題を解決するための手段】
【０００６】
上記目的を達成するため、開閉可能な蓋体を有し未浄化水を貯留する上瓶体と、出水口を有し浄化水を貯留する下瓶体と、上瓶体と下瓶体との間に設けられた仕切り部材と、仕切り部材の上部に取り付けられ、未浄化水を下から上に通過させて浄化するサイフォン式濾過構造を備えた上部フィルタユニットと、仕切り部材の下部に取り付けられ、上部フィルタユニットで浄化された水をさらに浄化する下部フィルタユニットと、上部フィルタユニット、下部フィルタユニットに含まれている空気を排出する排気装置とで浄水器を構成する。
【０００７】
未浄化水を蓋体を開けて上瓶体内に入れ、上部フィルタユニットを下から上に通過させて浄化させ、その後、下部フィルタユニットに流入して、さらに浄化させて、出水口から流出させる。簡単な構造で、浄化精度が高められ、安全性の高い品質の良い水を作ることができる。
【０００８】
仕切り部材は中央に凹部を形成し、該凹部上面中心部に上部固定円筒を設け、該凹部下面に下部固定円筒を設け、上部フィルタユニットは上部固定円筒に固定し、下部フィルタユニットは下部固定円筒に固定させるのが好ましい。これによって、確実にフィルタユニットを保持することができる。
【０００９】
下部フィルタユニットは活性炭が充填された第１下部フィルタユニットと、第１下部フィルタユニットの下部に配置して、第１フィルタユニットで浄化された水を浄化する、中空繊維質フィルタが設けられた第２下部フィルタユニットを備えるようにするのが好ましい。また、下部フィルタユニットは活性炭が充填された第１下部フィルタユニットと、第１下部フィルタユニット内部の中央下部に配置して、第１フィルタユニットで浄化された水を浄化する、中空繊維質フィルタが設けられた第２下部フィルタユニットを備えるようにするのが好ましい。下部フィルタユニットを第１、第２下部フィルタユニットに分割することによって、フィルタ材の使用寿命を高めると共に、浄化効率を上げることができる。
【００１０】
仕切り部材と上瓶体は一体成形するのが好ましい。これによって、加工の手間が簡略化でき、コスト低減効果がある。
【００１１】
上部フィルタユニットは、有頂円筒状のケーシングと、ケーシング内上部に設けられた上部多孔板と、ケーシング内下部に設けられた下部多孔板と、ケーシングの中心部に設けられ、上部多孔板及び下部多孔板を貫通する中空シリンダと、これらによって囲まれた空間に充填されたフィルタ材と、ケーシングの中央上部に形成された煙突状の排気部と、排気部上部に設けられた可動弁と、可動弁の動きを規制する、通気孔が形成された蓋体を備えるようにしてもよい。これによって、フィルタ材中の空気を効率よく排出して、浄化効果を高めることができる。
【００１２】
第1下部フィルタユニットは、下部固定円筒に連接された円筒状のケーシングと、ケーシング下部に設けられた多孔板と、多孔板上に載置された活性炭フィルタと、活性炭フィルタの上部に配置されたフィルタ押え部材と、フィルタ押え部材中央下部に形成された集気室と、多孔板、活性炭フィルタ、フィルタ押え部材、集気室を貫通してケーシング中心部に配置された排気管と、集気室の上部に配置された排気ヘッドとを備え、排気ヘッド内部と排気管は連通し、また排気へッドと集気室は排気ヘッドに形成された通気孔を介して連通しており、排気ヘッドは内部に可動弁が上下に移動可能に保持され、可動弁は上下の移動にともなって排気管の開口と通気孔の開閉を行うようにしてもよい。これによって、フィルタ材中の空気を効率よく排出して、浄化効果を高めることができる。
【００１３】
第1下部フィルタユニットは、下部固定円筒に連接された円筒状のケーシングと、ケーシング下部に設けられた多孔板と、多孔板上に載置された活性炭フィルタと、活性炭フィルタの上部に配置されたフィルタ押え部材と、多孔板、活性炭フィルタ、フィルタ押え部材を貫通してケーシング中心部に配置された排気管と、排気管の上部に配置された排気ヘッドとを備え、排気ヘッド内部と排気管は連通し、排気ヘッドは内部に可動弁が上下に移動可能に保持され、可動弁は上下の移動にともなって排気管の開口の開閉を行うようにしてもよい。これによって、フィルタ材中の空気を効率よく排出して、浄化効果を高めることができる。
【００１４】
第1下部フィルタユニットは、下部固定円筒に連接された円筒状のケーシングと、通水孔が形成された底部材と、底部材に載置され、有頂円筒状の網体とその内部に設けられた中空繊維フィルタとを有する第２下部フィルタユニットと、ケーシング上部に配置され、中心部に上方向に突出した排気ノズルを有する網状の蓋体と、ケーシング、第２下部フィルタユニット、底部材、蓋体とで囲まれた空間に活性炭フィルタを充填させてもよい。これによって、フィルタ材中の空気を効率よく排出して、浄化効果を高めることができる。
【００１５】
第1下部フィルタユニットは、下部固定円筒に連接された円筒状のケーシングと、通水孔が形成された底部材と、底部材に載置され、有頂円筒状の網体とその内部に設けられた中空繊維フィルタとを有する第２下部フィルタユニットと、ケーシング上部に配置され、中心部に排気ヘッドを有する網状の蓋体と、ケーシング、第２下部フィルタユニット、底部材、蓋体とで囲まれた空間に充填された活性炭フィルタとを備え、排気ヘッドは内部に可動弁が上下に移動可能に保持させるようにしてもよい。これによって、フィルタ材中の空気を効率よく排出して、浄化効果を高めることができる。
【００１６】
第1下部フィルタユニットと第２下部フィルタユニットとの間に繊維フィルタを設けるようにしてもよい。これによって、浄化効果を高めることができる。
【００１７】
底部材は、ケーシング下部にねじ連結される有底円筒状の支持部材と、該支持部材の上面に取り付けられ、第２下部フィルタユニットを支持する支持台座を備えるようにしてもよい。これによって、第２下部フィルタユニットを確実に支持することができる。
【考案の効果】
【００１８】
本考案に係る浄水器は、未浄化水を上部フィルタユニットの下から上に通過させることによって、上部フィルタユニット中に含まれた空気を、未浄化水が通過することによって下から上に排出する。また、第１、第２下部フィルタユニットを設けることによって、さらに浄化させて、安全性及品質の高い飲用水を作ることができる。
【００１９】
また上部フィルタユニットと第１下部フィルタユニットとの頂面上に２つの排気装置を設けて、浄水器の排気性能を高め、未浄化水が通過するときの抵抗が少なくしてスムーズに通過できるようにしている。
【００２０】
浄水器は上述の構成を備えているので、水の中に含まれている比較的大きな有害成分を除去できることは勿論、臭気成分、雑菌等の比較的小さい有害成分を吸着、除去することができる。中空繊維質フィルタを使用することによって、浄化と除菌効果がさらに高めることができる。
【００２１】
また本考案の浄水器は、フィルタ材の交換や内部部品の洗浄が容易であるという優れた効果をも有する。
【考案を実施するための最良の形態】
【００２２】
以下、本考案の実施の形態を図面に基づいて詳細に説明する。
【００２３】
図１は、第１実施形態のサイフォン式浄水器１の縦断面図を示す。サイフォン式浄水器１は、上部に注水口２０を有する上瓶体２と、下部に排水口６０を有する下瓶体６を備え、上瓶体２と下瓶体６との間に仕切り部材４が設けられている。
【００２４】
仕切り部材４は、上瓶体２の下端フランジと下瓶体６の上端フランジとの間に挟み込まれて保持されている。上瓶体２の下端フランジと仕切り部材４の上面との間には、シールリング１１が介設されている。上瓶体２と下瓶体６は、固定リング１０で連結されている。固定リング１０は上部に締め付けフランジを有し、内周面に雌ねじが形成されている。一方、下瓶体６の上部外周に雄ねじが形成されている。固定リング１０を下方向にねじ込んで、固定リング１０の締め付けフランジで上瓶体２の下端フランジを下方向に締め付けて、上瓶体２と下瓶体６とが仕切り部材４を介して一体的に水密結合されるようになっている。
【００２５】
上瓶体２の注水口２０は、着脱可能な蓋部材２１で閉じられていて、この蓋部材２１を開くことにより、未浄化水を注水口２０から上瓶体２内に供給することができる。下瓶体６の排水口６０は、出水弁機構９で開閉されるようになっている。
【００２６】
仕切り部材４は、中央に凹部４２が形成され、中央凹部４２の中心部に上方に伸びた上部固定円筒４１が形成されている。中央凹部４２の下面に、下方に伸びた下部固定円筒４３が形成されている。上部固定円筒４１の外周に雄ねじが形成され、下部固定円筒４３の内周面に雌ねじが形成されている。
なお、この実施の形態では、仕切り部材４は上瓶体２と下瓶体６に挟まれて固定される構造になっているが、仕切り部材４と上瓶体２とを一体形成するようにしてもよい。上瓶体２、下瓶体６、仕切り部材４、上瓶体２と仕切り部材４との一体成形品は、射出成型で形成される。
【００２７】
この浄水器１には、上部フィルタユニット３、第1下部フィルタユニット７、第２下部フィルタユニット８の３種類のフィルタが設けられている。上部フィルタユニット３は仕切り部材４の中央凹部４２に取付けられ、内部にイオン交換樹脂が充填されている。第１下部フィルタユニット７は、仕切り部材４の下部に下部固定円筒４３を介して固定され、内部に活性炭が充填されている。第２下部フィルタユニット８は、第１下部フィルタユニット７の下部に連結され、内部に中空繊維が充填されている。以上の構造から、上瓶体２内には未浄化水が貯蔵され、下瓶体６内には浄化水が貯蔵されるようになっている。
【００２８】
上部フィルタユニット３は、未浄化水を下から上に通過させるサイフォン式構造になっている。上部フィルタユニット３は、ケーシング３３と、ケーシング３３内の上部に設けられた上部多孔板３４と、ケーシング３３内の下部に設けられた下部多孔板３７と、ケーシング３３の中心部に設けられ、上部多孔板３４及び下部多孔板３７を貫通する中空シリンダ３６と、これらによって囲まれた空間に充填されたイオン交換樹脂のフィルタ材３５と、ケーシング３３の上面中央部に形成された煙突状の排気部３９とで構成されている。
【００２９】
排気部３９の最上面には通気孔３８が形成されている。排気部３９の最上面に通気孔３８を覆うようにフィルム状の可動弁３２が配置され、さらに可動弁３２の動きを規制する蓋体３１が排気部３９に取り付けられている。蓋体３１には、可動弁３２の上方向への移動を所定範囲に規制する規制リブ３１ａと通気孔３１ｂが形成されている。
【００３０】
可動弁３２は、上瓶体２内に貯蔵された未浄化水の水圧によって、下方向に押圧されて通気孔３８を閉止して、未浄化水が通気孔３８を通ってフィルタ材３５に進入するのを防ぎ、排気部３９内に溜まった空気の圧力が上瓶体２内に貯蔵された未浄化水の水圧より高くなった場合、上方向に移動して、通気孔３８を開放して排気部３９の空気を上瓶体２内に流す。
【００３１】
中空シリンダ３６の内周下部には雌ねじが形成されている。この雌ねじは、上部固定円筒４１の外周に形成された雄ねじと螺合して、上部フィルタユニットが固定される。上部フィルタユニット３のケーシング３３の外側周面と中央凹部４２の内側周面の間にはスペースが設けられている。未浄化水はケーシング３３と中央凹部４２のスペースから下部多孔板３７を通って、イオン交換樹脂のフィルタ材３５に進入し、フィルタ材３５を上に流れていく間に浄化され、浄化された水は上部多孔板３４を通って中空シリンダ３６に流入して下方向に流れる。未浄化水はイオン交換樹脂と接触することによって、水中のカルシウムイオン、マグネシウムイオン、有害な重金属及び他の不純物を除去する。
【００３２】
第1下部フィルタユニット７は、ケーシング７０８と、ケーシング７０８の中心部に設けられた排気管７０４と、ケーシング下部に設けられた下部多孔板７０１、下部多孔板７０１上に載置された繊維フィルタ７１７、繊維フィルタ７１７の上に配置された多孔底板７１６、多孔底板７１６の上に載置された活性炭フィルタ７０５、活性炭フィルタ７０５の上部に配置されたフィルタ押え部材７０７から構成されている。フィルタ押え部材７０７は網カバー７０９を備え、網カバー７０９で活性炭フィルタ７０５が離散しないように保持している。
【００３３】
ケーシング７０８の上部外周には雄ねじが形成され、下部固定円筒４３の内周面に形成された雌ねじと螺合して、第１下部フィルタユニット７が仕切り部材４に固定される。下部固定円筒４３とケーシング７０８との間にはシール５が介設されている。
【００３４】
排気管７０４は、下部多孔板７０１、活性炭フィルタ材７０５、フィルタ押え部材７０７を貫通している。フィルタ押え部材７０７の外周壁はケーシング７０８の内面に嵌め込まれている。網カバー７０９は、円弧状に上方向に膨出している。網カバー７０９の中央下部に円筒状の集気室７０６が形成されている。集気室７０６は網体で形成されている。集気室７０６の底部７１５を排気管７０４が貫通している。活性炭フィルタ７０５内部の空気を集め、水と空気を分流させている。集気室７０６の上部には排気ヘッド７１３が設けられている。排気ヘッド７１３の内部には可動弁７１２が上下に移動可能に保持されている。排気ヘッド７１３と網カバー７０９との間の部位には集気室７０６と連通する通気孔７１０が設けられている。可動弁７１２は、排気管７０４の端部開口７１４を覆う。排気ヘッド７１３の上部には可動弁７１２の動きを規制する蓋体７１１が取付けられている。蓋体７１１には通気孔が形成されている。活性炭フィルタ７０５内部の空気は集気室７０６を経て、通気孔７１０から上方に排出される。排気管７０４、排気ヘッド７１３、可動弁７１２と、規制蓋体７１１と、集気室７０６とから第1下部フィルタユニット７の排気装置が構成されている。
【００３５】
第1下部フィルタユニット７は上部フィルタユニット３から流下した水を濾過する。未浄化水は上部フィルタユニット３を通して濾過した後、中空シリンダ３６から流下して、網カバー７０９を経て、活性炭フィルタ７０５と繊維フィルタ７１７を経て、最後に下部多孔板７０１から第２下部フィルタユニット８に流出する。活性炭フィルタは水中の微小有機物、余分の塩素、有臭物等を除去し、繊維フィルタ７１７が、さらに浄化して水の濁度を下げる。
【００３６】
第２下部フィルタユニット８は、筒状のケーシング８１とケーシング内に設けられた中空繊維フィルタ８２から構成されている。ケーシング８１の上部は第１下部フィルタユニット７のケーシング７０８の下部に、取付けリング７０３を介して取付けられている。取付けリング７０３はケーシング７０８に螺合している。下部多孔板７０１と第２下部フィルタユニット８のケーシング７０８との間にシール７０２が介設されている。
【００３７】
中空繊維フィルタ８２は∩状中空繊維糸が集めて構成され、繊維糸の端部はケーシング８１の底部の開口部に設けられた保持部材８３に結合されている。保持部材は多数の透孔を有している。図１２に示すように、中空繊維濾過は、水が繊維糸の表層から内層に浸透し、最終的に中空部からしみ出てくる。水に含まれている有機物、細菌を高い率で除き浄化する。ケーシング７０８の空気は、図１３に示すように、排気管７０４から上方向に排出される。
【００３８】
出水弁機構９は下瓶体６の出水口に設けられ、浮子と、バルブ部材及びバルブシートから構成され、浮子は水の浮力で作用し、上下浮動からバルブ部材を動かす。開閉部材でバルブポートを開閉して浄水器からの出水の制御をする。
【００３９】
次に、本考案の第２実施形態を説明する。第２実施形態の浄水器は、基本的には、つぎの点を除いて第1実施形態と同じである。第２実施形態では、第２下部フィルタユニット８が第１下部フィルタユニット７のケーシング７０８の内部に配置されている。
【００４０】
図９に示すように、第１下部フィルタユニット７のケーシング７０８の上部を仕切り部材４の下部固定筒４３に連接する。またシール部材を互に接触する面間に設ける。第１下部フィルタユニット７のケーシング７０８の上部内壁に嵌合するフィルタ押え部材７０７を設ける。フィルタ押え部材７０７の蓋部７０９は網体で構成する。フィルタ押え部材７０７の中心部にノズル部材７２４を設けている。
【００４１】
第１下部フィルタユニット７の下部に底部材７１８が取付けられている。底部材７１８はケーシング７０８の底面に形成された固定円筒に螺合して連結されている。底部材７１８は中央部に通水孔７１８ａが形成されている。また上部支持面に多数の通水孔が形成された支持台座７１９が底部材７１８の上面に設けられる。支持台座７１９とケーシング７０８の底面との間にシール７２０が設けられ、浄化された水が漏ることを防いでいる。
【００４２】
第２下部フィルタユニット８は、有頂斜筒状の網体７２２と、円筒状のケーシング８３と、その内部に設けられた中空繊維フィルタ８２とを備えている。第２下部フィルタユニット８は、シール部材７２１を介して支持台座７１９に取付けられている。第２下部フィルタユニット８のケーシング８３の下部に通水孔８３１が形成され、第１下部フィルタユニット内の水が通水孔８３１を通って、第２下部フィルタユニット内に流入するように構成されている。第２下部フィルタユニット内の空気は、ケーシング８３の上部開口、網体７２２の上部網壁７２３を通って、ノズル７２４に達して、ノズル７２４から排出される。
【００４３】
活性炭フィルタ７０５はフィルタ押え部材７０７と第２下部フィルタユニット８との間のスペースに充填されている。
【００４４】
図１０は第２フィルタユニットが第１フィルタユニットの内部に配置された変形例を示している。この変形例では、第２下部フィルタユニット８を支持する底部材７１８を、第１下部フィルタユニット７のケーシング７０８の底部に螺合して連結している。また、フィルタ押え部材７０７の中心部に通気孔７１４を形成して、その上に排気ヘッド７１３を設け、その内部に可動弁７１２を保持している。
【００４５】
第２下部フィルタユニット８は、有頂円筒状の網体７２２と、円筒状のケーシング８３と、その内部に設けられた中空繊維フィルタ８２とを備えている。第２下部フィルタユニット内の空気は、ケーシング８３の上部開口、網体７２２の上部網壁を通って、排気ヘッド７１３に達して排出される。
【００４６】
未浄化水は、図１４に示すように、上部フィルタユニット３を通して一次サイフォン濾過して一次浄化水とする。一次浄化水はフィルタ押え部材７０７の上の網カバー７０９を通って活性炭フィルタ７０５を通過して第１下部フィルタユニット７の上面から底部に通過するとともに、網体７２２の側壁の網目を通って、円筒状のケーシング８３に形成された通水孔８３１を通って、中空繊維フィルタ８２の中に流入した後、浄化水が支持台座７１９の通水孔、底部材７１８の通水孔７１８ａから流出して下瓶体6内に溜められる。
【００４７】
第２下部フィルタユニット８内の空気は円筒状ケーシング８３の上部開口と、網体７２２の上部壁７２３を経て、ノズル７２４に集まり、ノズルに形成された小穴から上部フィルタユニットの中空シリンダ３６に入り、最終的に、通気孔３８から排出される。
【００４８】
上述の実施形態に示した構造の他に、本考案は多くの変型が可能であり、上述の実施形態の具体的な構造に限られるものでない。たとえば、上述の実施形態の第１下部フィルタユニットを図８に示すような構造にすることもできる、この構造では、円筒状網体で形成された集気室７０６が設けられていない。排気管７０４の上部には、図７に示した下部フィルタユニットと同様に、排気ヘッド７１３を設けられている。
【００４９】
上部フィルタユニットについては、図４に示した構造の他に、図５及び図６に示すような構造を採用することもできる。図５に示す構造では、上部多孔板３４１がすり鉢状になっている。図６に示す構造では、上部多孔板３４２が山型に上方向に盛り上がっている。
【図面の簡単な説明】
【００５０】
【図１】本考案の第１実施形態の浄水器の全体構造を示す縦断面図である。
【図２】前記浄水器に設けられた上瓶体と仕切り部材の構造を示す縦断面図である。
【図３】上瓶体と仕切り部材が一体に形成された構造を示す縦断面図である。
【図４】上部フィルタユニットの構造を示す縦断面図である。
【図５】上部フィルタユニットの変形例の構造を示す縦断面図である。
【図６】上部フィルタユニットの別の変形例の構造を示す縦断面図である。
【図７】第１下部フィルタユニットの構造を示す縦断面図である。
【図８】第１下部フィルタユニットの変形例の構造を示す縦断面図である。
【図９】第２実施形態の浄水器に用いられる下部フィルタユニットの構造を示す縦断面図である。
【図１０】下部フィルタユニットの変形例の構造を示す縦断面図である。
【図１１】第２下部フィルタユニットの構造を示す縦断面図である。
【図１２】中空繊維糸の構造を示す一部拡大断面図である。
【図１３】第１実施形態の浄水器の水と空気の流れを示す縦断面図である。
【図１４】第２実施形態の浄水器の水と空気の流れを示す縦断面図である。
【符号の説明】
【００５１】
１    サイフォン式浄水器
２    上瓶体
３    上部フィルタユニット
３１    蓋体
３２    可動弁
３３    ケーシング
３４    上部多孔板
３５    フィルタ材
３６    中空シリンダ
３７    下部多孔板
３８    通気孔
３９    排気部
４    仕切り部材
４１    上部固定円筒
４２    凹部
４３    下部固定円筒
６    下瓶体
７    第１下部フィルタユニット
７０１    多孔板
７０４    排気管
７０５    活性炭フィルタ
７０６    集気室
７０７    フィルタ押え部材
７１０    通気孔
７１２    可動弁
７１３    排気ヘッド
８    第２下部フィルタユニット
【図１】
0003107287.tif 000003
【図２】
0003107287.tif 000004
【図３】
0003107287.tif 000005
【図４】
0003107287.tif 000006
【図５】
0003107287.tif 000007
【図６】
0003107287.tif 000008
【図７】
0003107287.tif 000009
【図８】
0003107287.tif 000010
【図９】
0003107287.tif 000011
【図１０】
0003107287.tif 000012
【図１１】
0003107287.tif 000013
【図１２】
0003107287.tif 000014
【図１３】
0003107287.tif 000015
【図１４】
0003107287.tif 000016